(57)【特許請求の範囲】
【請求項１】
遊技盤の前面に配置され、かつ遊技球を遊技領域に誘導するためのガイドレールに、帯状の不正防止部材を所定の範囲に亘って配置することによって、前記ガイドレールの前端縁と前記遊技盤の前側に配置される透明板の裏面との間の隙間を塞ぐようにした弾球遊技機の不正防止構造において、
前記不正防止部材は、前記ガイドレールの側面に固定される硬質合成樹脂で形成される帯状基板と、弾性変形可能な材質で形成され前記ガイドレールの前端縁よりも前方へ突出して前記隙間を塞ぐ不正防止片とを含み、
前記帯状基板は、前記ガイドレールの前端縁に係合するほぼＬ字型の前係合爪と、前記ガイドレールの後端縁に設けられた切欠きに係合可能なほぼＬ字型の後係合爪を有し、
前記切欠きは、少なくとも前記後係合爪の幅よりも幅広で、かつ前記後係合爪の先端部よりも深く前記ガイドレールの後端縁から前方へ向けて切り欠かれ、前記後係合爪を前記ガイドレールの側面から挿入可能とする第１切欠部と、前記第１切欠部に連設され、かつ前記後係合爪の厚さとほぼ同等の深さに切り欠かれ、前記後係合爪が係合可能な第２切欠部とを有し、
前記前係合爪が前記ガイドレールの前端縁に係合すると共に、前記後係合爪が前記第１切欠部に挿入した状態で、前記不正防止部材を下方にずらすことによって、前記後係合爪は前記第２切欠部に係合することを特徴とする弾球遊技機の不正防止構造。
【請求項２】
前記不正防止片の後部に、前記ガイドレールの側面と前記帯状基板の側面との間に挟持される扁平の挟持片を連設したことを特徴とする請求項１記載の弾球遊技機の不正防止構造。
【請求項３】
前記帯状基板は、前記不正防止片の前記挟持片に設けられた係合孔に圧入することにより、前記不正防止片を前記帯状基板に仮組み可能とする突部を有することを特徴とする請求項２記載の弾球遊技機の不正防止構造。
【発明の詳細な説明】
【技術分野】
【０００１】
本発明は、遊技盤の前面に配置されるガイドレールの前端縁とこれに対向する透明板の裏面との間の隙間から行われる不正行為を防止するようにした弾球遊技機の不正防止構造に関する。
【背景技術】
【０００２】
弾球遊技機（パチンコ機）においては、遊技盤の前面に配置され、遊技球を遊技領域に誘導するためのガイドレールに、帯状の不正防止部材を取り付けることによって、ガイドレールの前端縁と前扉に設けられたガラス等の透明板の裏面との間の隙間を塞ぐことによって、ピアノ線や「セル板」と称される合成樹脂製の薄い帯状の不正具を、透明板の裏面とガイドレールの前端縁との間の隙間から遊技領域に侵入させる不正行為を防止するようにしている（例えば、特許文献１参照）。
【０００３】
【特許文献１】特開平８−１６４２４８号公報
【発明の開示】
【発明が解決しようとする課題】
【０００４】
しかし、上述のような弾球遊技機の不正防止構造において、不正防止部材をガイドレールに取り付けるには、ガイドレールを遊技盤に固定する前、不正防止部材に設けた係合部をガイドレールに設けた切欠部に係合することによって、予め不正防止部材をガイドレールに固定しておくか、または、予め遊技盤に固定したガイドレールの切欠部に、不正防止部材の係合部を弾性変形させつつ強引に係合させることによって、不正防止部材をガイドレールに取り付ける必要があるため、不正防止部材の取付けが面倒であるという問題を有する。
【０００５】
本発明は、上述のような課題に鑑み、不正防止部材の取付けを容易に行うことができるようにした弾球遊技機の不正防止構造を提供することを目的とする。
【課題を解決するための手段】
【０００６】
本発明によると、上記課題は、次のようにして解決される。
（１）  遊技盤の前面に配置され、かつ遊技球を遊技領域に誘導するためのガイドレールに、帯状の不正防止部材を所定の範囲に亘って配置することによって、前記ガイドレールの前端縁と前記遊技盤の前側に配置される透明板の裏面との間の隙間を塞ぐようにした弾球遊技機の不正防止構造において、前記不正防止部材は、前記ガイドレールの側面に固定される硬質合成樹脂で形成される帯状基板と、弾性変形可能な材質で形成され前記ガイドレールの前端縁よりも前方へ突出して前記隙間を塞ぐ不正防止片とを含み、前記帯状基板は、前記ガイドレールの前端縁に係合するほぼＬ字型の前係合爪と、前記ガイドレールの後端縁に設けられた切欠きに係合可能なほぼＬ字型の後係合爪を有し、前記切欠きは、少なくとも前記後係合爪の幅よりも幅広で、かつ前記後係合爪の先端部よりも深く前記ガイドレールの後端縁から前方へ向けて切り欠かれ、前記後係合爪を前記ガイドレールの側面から挿入可能とする第１切欠部と、前記第１切欠部に連設され、かつ前記後係合爪の厚さとほぼ同等の深さに切り欠かれ、前記後係合爪が係合可能な第２切欠部とを有し、前記前係合爪が前記ガイドレールの前端縁に係合すると共に、前記後係合爪が前記第１切欠部に挿入した状態で、前記不正防止部材を下方にずらすことによって、前記後係合爪は前記第２切欠部に係合する。
【０００８】
（２）上記(１)において、前記不正防止片の後部に、前記ガイドレールの側面と前記帯状基板の側面との間に挟持される扁平の挟持片を連設する。
【０００９】
（３）上記(２)において、前記帯状基板は、前記不正防止片の前記挟持片に設けられた係合孔に圧入することにより、前記不正防止片を前記帯状基板に仮組み可能とする突部を有する。
【発明の効果】
【００１０】
本発明によれば、次のような効果が奏せられる。
請求項１記載の発明によると、帯状基板に設けた係合爪をガイドレールの第１切欠部を介して第２切欠部に係合することによって、不正防止部材をガイドレールに簡単に取り付けることができる。
さらに、係合爪を硬質合成樹脂製により形成することができるため、係合爪をガイドレールの第２切欠部に堅固に係合させることができ、不正防止部材をガイドレールに確実に固定することができる
【００１２】
請求項２記載の発明によると、不正防止片の挟持片がガイドレールの側面と帯状基板の側面との間に挟持されるため、不正防止片をガイドレールに堅固に固定することができる。
【００１３】
請求項３記載の発明によると、不正防止部材をガイドレールに取り付ける前、予め不正防止片を帯状基板に仮組みできるため、不正防止部材をガイドレールに簡単に取り付けることができる。
【発明を実施するための最良の形態】
【００１４】
以下、本発明の一実施形態を、図面に基づいて説明する。図１は、本発明の一実施形態を適用した弾球遊技機の正面図、図２は、遊技盤の斜視図、図３は、不正防止構造の分解斜視図、図４は、不正防止部材をガイドレールに取付ける前の不正防止構造の斜視図、図５は、要部の拡大斜視図、図６は、不正防止構造の要部の正面図、図７は、図６におけるVII矢視図、図８は、図６におけるVIII−VIII線断面図である。なお、以下の説明においては、図１における図面手前を「前方」とし、図面奥側を「後方」とし、左方を「左方」とし、右方を「右方」とする。
【００１５】
図１に示すように、弾球遊技機１は、遊技店の遊技島に据え付けられる外枠２と、外枠２内に固定される遊技盤３と、中央部にガラス板または合成樹脂板により形成される透明板４１が嵌め込まれ、外枠２の前部、すなわち遊技盤３の前側に開閉可能に枢着される前扉４とを備え、前面右下部に設けられたハンドル４２を時計方向へ回転操作することにより、前扉４の下方に設けられた球貯留皿４３に貯留されている遊技球が発射装置（図略）から遊技盤３の前面に設けられた円形の遊技領域３１に打出されて、所定の遊技を行うことができる。前扉４は、閉じると透明板４１を透して遊技領域３１を視認できるように遊技盤３の前面を覆う。
【００１６】
遊技盤３の前面には、内側ガイドレール５及び外側ガイドレール６が固定され、この内側ガイドレール５及び外側ガイドレール６により囲まれる領域には、円形（楕円形を含む）の遊技領域３１が形成される。内側ガイドレール５と外側ガイドレール６とが重複する左側の領域には、発射装置から発射される遊技球を遊技領域３１へ誘導するための球誘導路１５が形成される。
【００１７】
遊技領域３１には、遊技領域３１に打出された遊技球の流下方向を変化させる多数の遊技釘（図示略）、遊技盤３の裏面側に配置される液晶表示器等により構成される表示装置（図示略）に表示される数字、図柄等から構成される識別情報を視認可能とするセンター役物７、センター役物７の真下に配置される図柄始動口８、図柄始動口８の真下に配置される大入賞装置９、及び遊技球を遊技盤３の裏面側に排出するアウト口１０等が設けられる。
【００１８】
内側ガイドレール５における球誘導路１５を形成する範囲には、その前端縁とこれに対向する透明板４１の裏面との間の隙間を塞いで、遊技領域３１への不正具の侵入を阻止するための帯状の不正防止部材１１が配置される。
【００１９】
不正防止部材１１は、硬質合成樹脂製で形成される帯状基板１２と、軟質合成樹脂、ゴム等の弾性変形可能な材質で形成される不正防止片１３とを含む。帯状基板１２は、内側ガイドレール５の外側面（球誘導路１５際の側面）に沿って配置され、不正防止部材１１を内側ガイドレール５に固定する機能を有する。不正防止片１３は、前扉４が閉じられた状態で、前端が透明板４１の裏面に当接することによって、内側ガイドレール５の前端縁と透明板４１の裏面との間の隙間を塞ぐ機能を有する。
【００２０】
帯状基板１２における上部の前後端縁には、内側ガイドレール５の側面へ向けて突出する前、後係合爪１２１、１２２が設けられている。前係合爪１２１は、先端部が後方へ折曲した平面視ほぼＬ字型をなし、内側ガイドレール５の前端縁に係合することによって帯状基板１２の前部を内側ガイドレール５に固定する。後係合爪１２２は、先端部が後方へ折曲した平面視ほぼＬ字型をなし、内側ガイドレール５に設けた後述の切欠部５１に係合することによって帯状基板１２の後部を内側ガイドレール５に固定する。
【００２１】
帯状基板１２の内側面（内側ガイドレール５の外側面に対向する面）には、不正防止片１３を帯状基板１２に仮組みするための突部１２３が上下方向（帯状基板１２の長手方向）に沿って複数設けられている。
【００２２】
主に図８に示すように、不正防止片１３は、その前端が外側へ傾いた姿勢で、帯状基板１２及び内側ガイドレール５の前端縁よりも前方へ突出するように内側ガイドレール５に固定される。これにより、不正防止片１３の前端が透明板４１の裏面に当接することによって、内側ガイドレール５の前端縁と透明板４１の裏面との間の隙間を確実に塞いで、遊技領域３１への不正具の侵入を確実に阻止することができる。
【００２３】
不正防止片１３の後部には、不正防止部材１１を内側ガイドレール５に取り付けた状態において、帯状基板１２の内側面と内側ガイドレール５の外側面との間に挟持される扁平の挟持片１３１が連設されている。この挟持片１３１により、不正防止片１３は内側ガイドレール５に確実に固定される。
【００２４】
不正防止片１３に連設された挟持片１３１には、帯状基板１２の各突部１２３がそれぞれ圧入可能な係合孔１３２が複数設けられている。各突部１２３を各係合孔１３２に圧入することによって、不正防止部材１１を内側ガイドレール５に取り付ける前の行程で、予め不正防止片１３を帯状基板１２に仮組みすることができ、内側ガイドレール６に対する不正防止部材１１の取付けを効率的に行うことができる。
【００２５】
内側ガイドレール５の後端縁（遊技盤３の前面に対向する縁）には、帯状基板１２に設けられた後係合爪１２２が係合可能な切欠き５１が設けられている。切欠き５１は、少なくとも後係合爪１２２の上下方向の幅Ｗ（図７参照）よりも幅広で、かつ後係合爪１２２の前方へ折曲した先端部１２２ａの前後方向の寸法Ｐよりも内側ガイドレール５の後端縁から前方へ向けて深く切り欠かれ、後係合爪１２２を内側ガイドレール５の外側面から挿入可能とする第１切欠部５１１と、第１切欠部５１１の下部（内側ガイドレール５の長手方向を向く側）に連設され、かつ後係合爪１２２の前後方向の厚さＴとほぼ同等の深さに切り欠かれて後係合爪１２２の先端部１２２ａが係合可能な第２切欠部５１２を有している。
【００２６】
次に、不正防止部材１１の取付け要領について説明する。先ず、不正防止片１３における挟持片１３１の係合孔１３２に、帯状基板１２の突部１２３を圧入して、予め、不正防止片１３を帯状基板１２に仮組みする。この形態で、帯状基板１２の前係合爪１２１を内側ガイドレール５の前端縁に係合すると共に、後係合爪１２２を切欠き５１の第１切欠部５１１に挿入した状態で、不正防止部材１１全体を下方にずらして、後係合爪１２２を第２切欠部５１２に係合させることによって、不正防止部材１１を外側ガイドレール５に簡単に取り付けることができる。最後に、帯状基板１２の下部に設けられたフランジ１２４を、ボルト１４により遊技盤３の前面に締結して、不正防止部材１１の下部を遊技盤３に固定する。また、不正防止部材１１を交換する場合には、ボルト１４を外して、不正防止部材１１全体を上方へずらして、後係合爪１２２を第２切欠部５１２から第１切欠部５１１に移動させることによって、不正防止部材１１を外側ガイドレール５から簡単に取り外すことができる。
【００２７】
以上により、帯状基板１２の前、後係合爪１２１、１２２を内側ガイドレール５に係合させることによって、不正防止部材１１を内側ガイドレール５に簡単かつ確実に取り付けることができる。また、挟持部１３１が帯状基板１２の内側面と内側ガイドレール５の外側面との間に挟持されるため、不正防止片１３を内側ガイドレール５に堅固に固定することができる。
【００２８】
また、前、後係合爪１２１、１２２は、硬質合成樹脂製の帯状基板１２に設けられるため、内側ガイドレール５に堅固に係合し、不正防止部材１１を内側ガイドレール５にしっかりと固定することができる。さらには、軟質合成樹脂製の挟持部１３１は、帯状基板１２の内側面と内側ガイドレール５の外側面との間に挟持されて球誘導路１５内に露出しないため、発射装置から発射された遊技球が球誘導路１５を下方から上方へ向けて移動する際、仮に、遊技球が不正防止部材１１の側面に当接しても、遊技球が当接する箇所は、硬質合成樹脂製の帯状基板１２であるため、遊技球の移動に与える影響を最小限に抑えることができる。
【００２９】
以上、本発明の一実施形態について説明したが、本発明の要旨を逸脱しない範囲内で、本実施形態に対して、次のような種々の変形や変更を施すことが可能である。
（ｉ）不正防止部材１１の帯状基板１２と不正防止片１３とを一体的に形成する。
（ii）不正防止部材１１を外側ガイドレール６に取り付ける。
（iii）前、後係合爪１２１、１２２を不正防止部材１１の長手方向に沿って複数設ける。
（iv）不正防止部材１１を、内側ガイドレール５のほぼ下半分の範囲に亘って配置する。
【図面の簡単な説明】
【００３０】
【図１】本発明の一実施形態を適用した弾球遊技機の正面図である。
【図２】遊技盤の斜視図である。
【図３】不正防止構造の分解斜視図である。
【図４】不正防止部材をガイドレールに取付ける前の不正防止構造の斜視図である。
【図５】要部の拡大斜視図である。
【図６】不正防止構造の要部の正面図である。
【図７】図６におけるVII矢視図である。
【図８】図６におけるVIII−VIII線断面図である。
【符号の説明】
【００３１】
１  弾球遊技機
２  外枠（遊技機枠）
３  遊技盤
４  前扉
５  内側ガイドレール
６  外側ガイドレール
７  センター役物
８  図柄始動口
９  大入賞装置
１０  アウト口
１１  不正防止部材
１２  帯状基板
１３  不正防止片
１４  ボルト
１５  球誘導路
３１  遊技領域
４１  透明板
４２  ハンドル
４３  球貯留皿
５１  切欠き
１２１  前係合爪
１２２  後係合爪
１２２ａ  先端部
１２３  突部
１２４  フランジ
１３１  挟持片
１３２  係合孔
５１１  第１切欠部
５１２  第２切欠部
【図１】
0005106965.tif 000002
【図２】
0005106965.tif 000003
【図３】
0005106965.tif 000004
【図４】
0005106965.tif 000005
【図５】
0005106965.tif 000006
【図６】
0005106965.tif 000007
【図７】
0005106965.tif 000008
【図８】
0005106965.tif 000009